(57)【要約】【課題】従来のＬＥＤ灯の構造に容易に付加でき、照明具の構造はそのまま使用することのできるリモコン付きコードレス照明具を提供する。【解決手段】ＬＥＤ灯本体５の内部に設けた赤外線スイッチング回路部に接続される赤外線センサ５ｆを、門提灯の下部加輪２の底板２ａに設けた穴と中空ボルト５ｅを介して外部に引き出し、露出させたリモコン付きコードレス照明具。赤外線センサ５ｆが中空ボルト５ｅの下端から露出しているので、リモコン８のオンボタン８ｂまたはオフボタン８ｃを操作することにより、赤外線ＬＥＤ８ａからの信号が赤外線センサ５ｆに伝送され、乾電池ケース５ａ内部に設けられた赤外線スイッチング回路によりＬＥＤを点灯または消灯させる。これにより、直接引き紐やスイッチに触れて操作したり、それらの場所を探したりする必要がなく、暗い場所でもオンオフが容易になる。【選択図】図１
0003169234.tif 000002
【実用新案登録請求の範囲】
【請求項１】
照明具本体に、乾電池ケースとＬＥＤ発光部とを有するＬＥＤ灯本体を取り付けたコードレス照明具において、前記ＬＥＤ灯本体に赤外線スイッチング回路を設け、前記赤外線スイッチング回路に接続される赤外線センサを、前記照明具本体に設けた穴を介して外部に引き出し、露出させたことを特徴とするリモコン付きコードレス照明具。
【請求項２】
前記ＬＥＤ灯本体に中空ボルトを取り付け、前記照明具本体に設けた穴に前記中空ボルトを挿通し、前記中空ボルトとナットにより前記ＬＥＤ灯本体を前記照明具本体に固定し、前記中空ボルトの先端から前記赤外線センサを露出させたことを特徴とする請求項１記載のリモコン付きコードレス照明具。
【請求項３】
前記ＬＥＤ灯本体にオンオフスイッチを併設し、前記オンオフスイッチの引き紐を、前記中空ボルトを通して前記照明具本体の外部に引き出したことを特徴とする請求項２記載のリモコン付きコードレス照明具。
【考案の詳細な説明】
【技術分野】
【０００１】
本考案は、盆や法事、仏事の際に玄関等に掲げる電池式の提灯、あるいは室内に掛けるインテリアとしてのＬＥＤ灯などの据置式コードレス照明灯のオンオフを遠隔から可能にした、リモコン付きコードレス照明具に関する。
【背景技術】
【０００２】
従来の据置式コードレス照明具としては、盆や法事、仏事の際に玄関先等に掲げる電池式の門提灯がある。この電池式の門提灯は、図４に示すように、玄関や門に吊り下げて使用するもので、火袋２１、下部加輪２２、上部加輪２３、吊手３４を有し、下部加輪２２の底板２２ａには、ＬＥＤ灯２５が取り付けられている。ＬＥＤ灯２５は、乾電池ケース２５ａと、軸受台２５ｂと、接続軸２５ｃと、カバー２５ｄとを有し、接続軸２５ｃの上部にはＬＥＤが搭載されている。
【０００３】
乾電池ケース２５ａの下面には内部が中空の取付ねじ２５ｅが取り付けられ、下部加輪２２の底板２２ａに設けた穴を通して取付ナット２５ｆで下部加輪２２に取り付けられている。取付ねじ２５ｅの内部から、引き紐２５ｇが引き出されており、引き紐２５ｇを引くことにより、乾電池ケース２５ａの部分に内蔵されたスイッチをオンオフさせるようになっている。
【０００４】
電池とＬＥＤを設けた同様な構造のものとして、特許文献１に記載された提灯ランタンがある。この特許文献１の提灯ランタンでは、下部加輪の側部に、スイッチの頭部を設けている。
【先行技術文献】
【特許文献】
【０００５】
【特許文献１】実用新案登録第３１６４４２８号公報
【考案の概要】
【考案が解決しようとする課題】
【０００６】
上述した従来のコードレス（電池式）照明灯では、照明をオンオフするのに、引き紐やスイッチを用いているが、照明灯の引き紐やスイッチに触れて操作をする必要があり、薄暗い場所では引き紐やスイッチを見つけにくく、オンオフ操作もしにくい。
【０００７】
そこで本考案は、従来のＬＥＤ灯の構造に容易に付加でき、照明具の構造はそのまま使用することのできるリモコン付きコードレス照明具を提供することを目的とする。
【課題を解決するための手段】
【０００８】
前記課題を解決するため、本考案の第１の構成のリモコン付きコードレス照明具は、照明具本体に、乾電池ケースとＬＥＤ発光部とを有するＬＥＤ灯本体を取り付けたコードレス照明具において、前記ＬＥＤ灯本体に赤外線スイッチング回路を設け、前記赤外線スイッチング回路に接続される赤外線センサを、前記照明具本体に設けた穴を介して外部に引き出し、露出させたことを特徴とする。
【０００９】
この第１の構成においては、ＬＥＤ灯本体に赤外線スイッチング回路を設け、赤外線スイッチング回路に接続される赤外線センサを、照明具本体に設けた穴を介して外部に引き出し、露出させているため、リモコンからの赤外線を確実に受信して赤外線スイッチング回路に伝送し、ＬＥＤ灯を点灯、消灯することができる。
【００１０】
天井灯等の商用電源用照明器具のオンオフをリモコンで行うものは一般に普及しているが、赤外線スイッチング回路と赤外線センサは天井灯の点灯回路と一体になっている。これは、赤外線を透過するカバーで蛍光灯を覆う構成となっているため実現可能であるが、提灯等は、火袋を構成する和紙や合成繊維は必ずしも赤外線を透過するとは限らない。そこで本考案では、赤外線センサを外部に露出するようにしている。
【００１１】
なお、本考案の照明具は、ＬＥＤを光源とする提灯に限らず、インテリア照明、屋外設置の照明など、据置式コードレス照明灯全般に適用することが可能である。
【００１２】
本考案の第２の構成のリモコン付きコードレス照明具は、前記ＬＥＤ灯本体に中空ボルトを取り付け、前記照明具本体に設けた穴に前記中空ボルトを挿通し、前記中空ボルトとナットにより前記ＬＥＤ灯本体を前記照明具本体に固定し、前記中空ボルトの先端から前記赤外線センサを露出させたことを特徴とする。
【００１３】
この第２の構成では、照明具本体とＬＥＤ灯本体とを固定する中空ボルトを利用して、赤外線センサのリード線を中空ボルト内部に通し、中空ボルトの外側に赤外線センサが露出するようにしたことにより、従来のＬＥＤ灯を本考案の構造に付け替えるだけでリモコン制御が可能となる。
【００１４】
本考案の第３の構成は、前記ＬＥＤ灯本体にオンオフスイッチを併設し、前記オンオフスイッチの引き紐を、前記中空ボルトを通して前記照明具本体の外部に引き出したことを特徴とする。
【００１５】
この第３の構成では、手動操作用のオンオフスイッチの引き紐も中空ボルトを通して外部に引き出したので、リモコン操作のみならず、手動操作も可能となる。
【考案の効果】
【００１６】
本考案によれば、照明具本体に、乾電池ケースとＬＥＤ発光部とを有するＬＥＤ灯本体を取り付けたコードレス照明具において、ＬＥＤ灯本体に赤外線スイッチング回路を設け、赤外線スイッチング回路に接続される赤外線センサを、照明具本体に設けた穴を介して外部に引き出し、露出させたことにより、外部リモコンからの赤外線信号によりＬＥＤ発光部の点灯、消灯が行え、直接引き紐やスイッチに触れて操作したり、それらの場所を探したりする必要がなく、暗い場所でもオンオフが容易になる。また、従来のＬＥＤ灯の構造に容易に付加でき、照明具の構造はそのまま使用することができる。
【図面の簡単な説明】
【００１７】
【図１】本考案の実施の形態を示す断面図である。
【図２】本考案の実施の形態におけるＬＥＤ灯本体の断面図であり、（ａ）は縦断正面図、（ｂ）は縦断側面図である。
【図３】本考案の実施の形態における回路図である。
【図４】従来の据置式コードレス照明具を示す断面図である。
【考案を実施するための形態】
【００１８】
以下、本考案の実施の形態を、図面を用いて具体的に説明する。
図１に示すように、本考案の実施の形態に係るリモコン付きコードレス照明具の一例としての門提灯は、火袋１、下部加輪２、上部加輪３、吊手４を有し、下部加輪２の底板２ａには、ＬＥＤ灯本体５が取り付けられている。ＬＥＤ灯本体５は、乾電池ケース５ａと、軸受台５ｂと、接続軸５ｃと、カバー５ｄとを有し、接続軸５ｃの上部にはＬＥＤが搭載されている。
【００１９】
乾電池ケース５ａの下面には内部が中空である中空ボルト５ｅが取り付けられ、下部加輪２の底板２ａに設けた穴を通して取付ナット６で下部加輪２に取り付けられている。中空ボルト５ｅの内部から、引き紐５ｇが引き出されているのは従来例と同様であるが、本実施の形態では、赤外線センサ５ｆも中空ボルト５ｅの下端から露出する状態に設置されている。
【００２０】
赤外線センサ５ｆが中空ボルト５ｅの下端から露出しているので、リモコン８のオンボタン８ｂまたはオフボタン８ｃを操作することにより、赤外線ＬＥＤ８ａからの信号が赤外線センサ５ｆに伝送され、乾電池ケース５ａ内部に設けられた赤外線スイッチング回路によりＬＥＤを点灯または消灯させる。
なお、取付ナット６には、提灯の飾り房などを引っ掛けるための吊りフック７が溶接等で固着されている。
【００２１】
図２はＬＥＤ灯本体５の要部断面を示すものであり、乾電池ケース５ａの内部には乾電池９が収納され、上部には赤外線スイッチング回路部１０が設けられている。赤外線スイッチング回路部１０の出力は軸受台５ｂのソケット１１に出力される。接続軸５ｃの下端にはプラグ１２が取り付けられており、軸受台５ｂのソケット１１に挿入することにより接続軸５ｃ先端のＬＥＤに点灯信号を伝送する。
【００２２】
赤外線スイッチング回路部１０と赤外線センサ５ｆとは、リード線１３により接続されている。また、乾電池ケース５ａの内部に設けられたオンオフスイッチ１４から、中空ボルト５ｅの内部を通して引き紐５ｇが引き出されている。
【００２３】
図３は本考案の実施の形態における回路図であり、オンオフスイッチ１４の出力と赤外線センサ５ｆの出力が赤外線スイッチング回路部１０に入力される。赤外線スイッチング回路部１０では、赤外線センサ５ｆの出力が増幅され、ＬＥＤ１５のオンオフ信号に変換される。オンオフ信号はソケット１１に出力され、接続軸５ｃ基端のプラグ１２から接続軸５ｃ先端のＬＥＤ１５に電流が供給される。
【００２４】
以上のように、本実施の形態においては、赤外線スイッチング回路部１０に接続される赤外線センサ５ｆを、門提灯の下部加輪２の底板２ａに設けた穴と中空ボルト５ｅを介して外部に引き出し、露出させたことにより、リモコン８からの赤外線信号によりＬＥＤ１５の点灯、消灯が行え、直接引き紐やスイッチに触れて操作したり、それらの場所を探したりする必要がなく、暗い場所でもオンオフが容易になる。
【産業上の利用可能性】
【００２５】
本考案は、従来のＬＥＤ灯の構造に容易に付加でき、照明具の構造はそのまま使用することのできるリモコン付きコードレス照明具として、電池式の提灯、あるいは室内に掛けるインテリアとしてのＬＥＤ灯などの据置式コードレス照明灯等に好適に利用することができる。
【符号の説明】
【００２６】
１  火袋
２  下部加輪
２ａ  底板
３  上部加輪
４  吊手
５  ＬＥＤ灯本体
５ａ  乾電池ケース
５ｂ  軸受台
５ｃ  接続軸
５ｄ  カバー
５ｅ  中空ボルト
５ｆ  赤外線センサ
５ｇ  引き紐
６  ナット
７  吊りフック
８  リモコン
８ａ  赤外線ＬＥＤ
８ｂ  オンボタン
８ｃ  オフボタン
９  乾電池
１０  赤外線スイッチング回路部
１１  ソケット
１２  プラグ
１３  リード線
１４  オンオフスイッチ
１５  ＬＥＤ
【図１】
0003169234.tif 000003
【図２】
0003169234.tif 000004
【図３】
0003169234.tif 000005
【図４】
0003169234.tif 000006